(57)【要約】【課題】横対縦の空間周波数比率が１６：９を満足する映像を表示可能な二重画面ディスプレイパネルを提供する。【解決手段】赤色１１、青色１２、緑色１３のセルがこの順で直線状に周期的に配置された第１の垂直セルラインと、第１の垂直セルラインに隣接して、第１の垂直セルラインの赤色１１のセルと青色１２のセルとの界面の横側に緑色２１のセルを配列し、続いて垂直に赤色２２、青色２３のセルが周期的に配置された第２の垂直セルラインと、第２の垂直セルラインに隣接して、第２の垂直セルラインと同じ垂直位置に配置された第３の垂直セルラインと、第３の垂直セルラインに隣接して、第１の垂直セルラインと同じ垂直位置に配置された第４の垂直セルラインと、第１視聴方向に第１映像を、第２視聴方向には第２映像を表示できる視差バリヤー手段と、を備える二重画面ディスプレイパネルである。【選択図】図２
2008096990.tif 000002
【特許請求の範囲】
【請求項１】
赤色、青色、緑色のセルがこの順で直線状に周期的に配置され、垂直方向に延伸する第１の垂直セルラインと、
前記第１の垂直セルラインに隣接し、前記第１の垂直セルラインの赤色のセルと青色のセルとの界面の横側に緑色のセルを配置し、続いて順に赤色、青色のセルが周期的に配置され、垂直方向に延伸する第２の垂直セルラインと、
前記第２の垂直セルラインに隣接し、前記第２の垂直セルラインと同じ垂直位置に緑色、赤色、青色のセルがそれぞれ配置され、垂直方向に延伸する第３の垂直セルラインと、
前記第３の垂直セルラインに隣接して、第１の垂直セルラインと同じ垂直位置に赤色、青色、緑色のセルがそれぞれ配置され、垂直方向に延伸する第４の垂直セルラインと、
第１視聴方向に第１映像を、第２視聴方向には第２映像を選択的に表示させる視差バリヤー手段と、を備えることを特徴とする二重画面ディスプレイパネル。
【請求項２】
前記ディスプレイ装置は、プラズマ放電により駆動されることを特徴とする請求項１に記載の二重画面ディスプレイパネル。
【請求項３】
前記視差バリヤー手段は、垂直方向に延伸し、且つ前記第１〜第４の垂直セルラインの配列面に垂直な隔壁であることを特徴とする請求項１に記載の二重画面ディスプレイパネル。
【請求項４】
前記第１〜第４の垂直セルラインの配列を単位配列として、該単位配列を水平方向に周期的に配列したことを特徴とする請求項１〜３のいずれか１項に記載の二重画面ディスプレイパネル。
【請求項５】
前記視差バリヤー手段を前記第２の垂直セルラインと前記第３の垂直セルラインとの間、及び前記第４の垂直セルラインと前記第１の垂直セルラインとの間に、垂直方向に延伸して、周期的に設けたことを特徴とする請求項４に記載の二重画面ディスプレイパネル。
【発明の詳細な説明】
【技術分野】
【０００１】
本発明は、二重画面ディスプレイパネルに係り、特にセル配列方法を改善することによって、理想的な画面比率を提供するディスプレイパネル及びその製造方法に関する。
【背景技術】
【０００２】
二重画面ディスプレイ装置では、複数のユーザが同時に一つの画面を見るように設計されるものではなく、異なる方向から一つのディスプレイ画面を見る二名の観察者が異なる画像を見るように設計される。これは、同じディスプレイから他の情報を見るのが個々のユーザに望ましい場合に使われる。例えば、自動車内で、運転者は衛星航法データを見ることを所望する一方、乗客は映画を見ることを所望するとき、かかる対立的な要求は、別途の二つのディスプレイ装置を提供する代わりに、二重画面ディスプレイが使われて満足されうる。そして、かかる二重画面ディスプレイ装置は、コスト、空間及び重量を大きく低減できる。
【０００３】
二重画面ディスプレイの他の利点は、ユーザが他人の画面を見ることを防止できるというところにあるので、現金自動預け払い機（ＡＴＭ）を使用する商取引のように安全性が要求される分野及びコンピュータゲームの分野等への応用が期待されている。又、二重画面ディスプレイは、３次元ディスプレイの製作にも適用可能である。
【０００４】
従来の二重画面ディスプレイ装置を生成する時は、図１の破線に示すように、水平方向（行方向）に沿って、赤色（Ｒ）、赤色（Ｒ）、緑色（Ｇ）、緑色（Ｇ）、青色（Ｂ）、青色（Ｂ）のセルを配列して一つの画素（ピクセル）を形成している。このとき、赤色（Ｒ）、緑色（Ｇ）、青色（Ｂ）のセルは、それぞれストリップ構造をなす。この構造を１９２０×１０８０のフルＨＤ（High Definition）級ディスプレイ装置に適用して、二つの９６０×１０８０級映像が実現できる。
【０００５】
一般的に、横対縦の空間周波数比率が４：３であるが、１６：９を満足する時に最も理想的な映像を実現できるが、従来の構造は、９６０×１０８０であって、その条件を満足しない。
【発明の開示】
【発明が解決しようとする課題】
【０００６】
本発明の目的は、赤色、青色、緑色のセルの配列方法を改善することによって、概ね横対縦の空間周波数比率が１６：９を満足する理想的な映像を表示可能な二重画面ディスプレイパネルを提供するところにある。
【課題を解決するための手段】
【０００７】
本発明は、赤色、青色、緑色のセルがこの順で直線状に周期的に配置され、垂直方向に延伸する第１の垂直セルラインと、第１の垂直セルラインに隣接して、第１の垂直セルラインの赤色のセルと青色のセルとの界面の横側に緑色のセルを配置し、続いて赤色、青色のセルが周期的に配置され、垂直方向に延伸する第２の垂直セルラインと、第２の垂直セルラインに隣接して、第２の垂直セルラインと同じ垂直位置に配置され、垂直方向に延伸する第３の垂直セルラインと、第３の垂直セルラインに隣接して、第１の垂直セルラインと同じ垂直位置に配置され、垂直方向に延伸する第４の垂直セルラインと、第１視聴方向に第１映像を、第２視聴方向には第２映像を選択的に表示させる視差バリヤー手段と、を備える二重画面ディスプレイ装置を開示する。
【発明の効果】
【０００８】
本発明によるディスプレイパネルは、赤色、青色、緑色のセルの配列方法を改善することによって、理想的な画面比率の二重画面ディスプレイ装置を提供できる。
【発明を実施するための最良の形態】
【０００９】
以下、添付された図面に示した本発明による実施形態を参照して、本発明の構成及び作用を詳細に説明する。
【００１０】
図１は、従来の二重画面ディスプレイ装置のセル配列構造を示す図面である。図２は、本発明の一実施形態による二重画面ディスプレイパネルの上部から見たセル配列を示す図面であり、図３は、図２に示した二重画面ディスプレイパネルの原理を説明するための図２のＩ−Ｉ方向から見た断面図の一部である。
【００１１】
図２及び図３に示した本発明の一実施形態に係る二重画面ディスプレイパネルは、単一画面ディスプレイパネルと異なり、図２の破線で示したように、赤色、赤色、緑色、緑色、青色、青色のセルの配列が一つの画素（ピクセル）を構成している。赤色、緑色、青色のセルは、それぞれ長方形のストリップ構造（短冊構造）をなしている。
【００１２】
即ち、本発明の一実施形態に係る二重画面ディスプレイパネルは、図２に示すように、互いに平行に垂直方向（列方向）に延伸する第１の垂直セルライン１０、第２の垂直セルライン２０、第３の垂直セルライン３０及び第４の垂直セルライン４０の配列を単位配列（ユニット）とし、この単位配列を水平方向（行方向）に周期的に配列している。ここで、第１の垂直セルライン１０は、赤色１１、青色１２、緑色１３のセルがこの順で直線状に周期的に配置されて構成され、垂直方向に延伸している。第２の垂直セルライン２０は、第１の垂直セルライン１０に隣接して、第１の垂直セルラインの赤色１１のセルと青色１２のセルとの界面の横側に緑色２１のセルが配置され、緑色２１のセルに続いて赤色２２のセル、青色２３のセルが周期的に配置されて構成され、垂直方向に延伸している。第３の垂直セルライン３０は、第２の垂直セルライン２０に隣接して、第２の垂直セルラインと同じ垂直位置で緑色３１、赤色３２、青色３３のセルが配置されて構成され、垂直方向に延伸している。第４の垂直セルライン４０は、第３の垂直セルライン３０に隣接して、第１の垂直セルライン１０と同じ垂直位置で赤色１１、青色１２、緑色１３のセルがこの順で直線状に周期的に配置されて構成され、垂直方向に延伸している。この結果、第１の垂直セルライン１０と第２の垂直セルライン２０とは垂直方向に互いに１／２周期ずれ、第３の垂直セルライン３０と第４の垂直セルライン４０とは垂直方向に互いに１／２周期ずれて、煉瓦目地模様をなしている。
【００１３】
本発明の一実施形態に係る二重画面ディスプレイパネルでは、第１視聴方向に第１映像を、第２視聴方向には第２映像を選択的に表示させる視差バリヤー手段５０が必要であるが、図３に示すような第１〜第４の垂直セルラインの配列面に垂直方向の隔壁が、視差バリヤー手段５０の機能をなす。隔壁は金属薄膜等の遮光性材料で構成すれば良い。視差バリヤー手段５０は、第２の垂直セルラインと第３の垂直セルラインとの間、及び第４の垂直セルラインと第１の垂直セルラインとの間に垂直方向に延伸して、周期的に設けられている。尚、「垂直」及び「水平」は定義の問題である。即ち、本明細書では第１〜第４の垂直セルラインが延伸している方向を便宜上、「垂直方向」に選択しているが、現実には配列を９０度回転して、「垂直方向（列方向）」と「水平方向（行方向）」とが入れ替わる場合や、「垂直方向」と「水平方向」が、現実の「垂直方向」と「水平方向」に対し斜め方向に延伸する場合も許容されることは勿論である。
【００１４】
解像度１９２０×１０８０のフルＨＤ級ディスプレイ装置を二重画面ディスプレイとして実現するとき、従来のストリップ形態（図１参照）でセルを配列すれば、９６０×１０８０級の二つの映像をそれぞれ表示できる。
【００１５】
映像を表現するディスプレイ装置は、理想的な映像を表示するために、横対縦の空間周波数比率を４：３、さらに１６：９としているが、従来の二重画面ディスプレイパネルのセル配列構造は、９６０：１０８０であって、かかる比率を満足しない。
【００１６】
図１は、従来の二重画面ディスプレイパネルの一部のセル配列構造を示す図面であり、破線で示したように水平方向（行方向）に赤色、赤色、緑色、緑色、青色、青色の６つのセルを順に配列して一つの画素（ピクセル）を構成し、芋目地模様をなしている。一方、図２は、本発明の一実施形態に係る二重画面ディスプレイパネルの一部のセル配列構造を示す図面であり、破線で示したように水平方向に配列された２つの赤色のセルの下側に、水平方向に配列された２つの青色のセルを配列し、更に赤色のセルと青色のセルとの界面の両側に２つの緑色のセルを配列して挟んで、計６つのセルで一つの画素（ピクセル）を構成している。画素（ピクセル）の構造は異なるものの、図１及び図２に示された配列部分の領域に含まれる総画素数は、それぞれ１２個となる。従来の発明では、図１に示された配列部分の領域には、横方向には４個の画素が配列され、縦方向には３個の画素が配列されている。しかし、本発明の一実施形態に係るセル配列構造では、図２に示された配列部分の領域には、横方向に６個、縦方向に２個の画素が配列される。したがって、本発明の煉瓦目地模様の配列は、従来の芋目地模様の配列に比べて、横方向の画素の配列数が４個から６個になるので３／２倍解像度が向上し、縦方向の画素の配列数が３個から２個に減少するので２／３倍解像度が低下するという結果が生じる。
【００１７】
解像度の側面で、従来のセル配列構造での解像度である９６０×１０８０と比較するとき、本発明は、横には９６０の３／２倍である１４４０、縦には１０８０の２／３倍である７２０、すなわち１４４０×７２０の解像度を有するので、約１６：９に近い比率である２：１の横対縦の比率が生じる。
【００１８】
表１は、ＨＤ級ディスプレイ装置で単一画面ディスプレイである場合、従来のセル配列構造による二重画面ディスプレイである場合、本発明による二重画面ディスプレイである場合の解像度を比較したものである。
【表１】
2008096990.tif 000003
【００１９】
表１を参照すれば、従来の二重画面ディスプレイ装置のセル配列では、垂直解像度はそのままであるが、水平解像度のみが１９２０から９６０に５０％低下して理想的な画面比率を有しないが、本発明のセル配列によれば、水平解像度は１９２０から１４４０に６７％、垂直解像度は１０８０から７２０に７５％低下して理想的な画面比率である１６：９にさらに近くなるということが分かる。
【００２０】
さらに、他の解像度（１３６６×７６８、１０２４×７２０）のディスプレイ装置でも、同様な結果を見せるということが分かる。
【００２１】
本発明は、図面に示した実施形態を参考にして説明されたが、当業者であれば、これから多様な変形及び均等な他の実施形態が可能であるという点を理解できるであろう。したがって、本発明の真の保護範囲は、特許請求の範囲により決められなければならない。
【産業上の利用可能性】
【００２２】
本発明は、二重画面ディスプレイパネル関連の技術分野に適用可能である。
【図面の簡単な説明】
【００２３】
【図１】従来の二重画面ディスプレイ装置のセル配列構造を示す図面である。
【図２】本発明の一実施形態に係る二重画面ディスプレイパネルのセル配列構造を示す図面である。
【図３】二重画面ディスプレイパネルの原理を説明するための、図２のＩ−Ｉ方向から見た断面図の一部である。
【符号の説明】
【００２４】
１０    第１の垂直セルライン
２０    第２の垂直セルライン
３０    第３の垂直セルライン
４０    第４の垂直セルライン
１１，１２，１３    第１の垂直セルラインに配列される赤色、青色、緑色のセル
２１，２２，２３    第２の垂直セルラインに配列される緑色、赤色、青色のセル
３１，３２，３３    第３の垂直セルラインに配列される緑色、赤色、青色のセル
４１，４２，４３    第４の垂直セルラインに配列されるの赤色、青色、緑色のセル
５０    視差バリヤー手段
【図１】
2008096990.tif 000004
【図２】
2008096990.tif 000005
【図３】
2008096990.tif 000006